(57)【要約】【課題】回路装置を提供する。【解決手段】  本発明は、スイッチとケーシングと操作要素と第１および第２接触要素とを備え、この接触要素が共にケーシングに係合している、懐中電灯内の回路装置に関し、本発明に従い、第１接触要素が光源に直接または間接的に導電接続され、第２接触要素がケーシングの外で曲がった板ばねとして形成され、かつ電源に直接接続されている。【選択図】      図２a
2011108627.tif 000002
【特許請求の範囲】
【請求項１】
スイッチ（１）とケーシング（２）と操作要素（３）と第１および第２接触要素（４、５）とを備え、この接触要素が共にケーシング（２）に係合している、懐中電灯内の回路装置において、
第１接触要素（４）が光源（１１）に直接または間接的に導電接続され、第２接触要素（５）がケーシングの外で曲がった板ばねとして形成され、かつ電源に直接接続されていることを特徴とする回路装置。
【請求項２】
光源（１１）がＬＥＤであり、電源としてバッテリ（８）または蓄電池が設けられていることを特徴とする請求項１に記載の回路装置。
【請求項３】
第１接触要素（４）が導電性の懐中電灯ケーシング（７）に直接接続された曲がった板ばねであることを特徴とする請求項１または２に記載の回路装置。
【請求項４】
操作要素（３）が軸方向に移動可能であり、かつ端面に導電性の接触板（２２）を有し、この接触板が両接触要素（４、５）に同時に接続可能であることを特徴とする請求項１〜３のいずれか一項に記載の回路装置。
【請求項５】
一方の接触要素（４、５）がケーシング内で曲がった板ばねとして形成され、かつ力がかかっていない状態で他方の接触要素（５、４）から離隔され、両接触要素（４、５）が操作要素（３）によって板ばねの押圧力に抗して接続可能であることを特徴とする請求項１〜３のいずれか一項に記載の回路装置。
【請求項６】
操作要素（３）が渦巻きばね（２１）の力に抗して軸方向に移動可能な押しボタンまたは回転ボタンであることを特徴とする請求項１〜５のいずれか一項に記載の回路装置。
【請求項７】
操作要素（３）が係止要素を備え、それによって一時的な切換え機能または持続的な切換え機能を生じることができることを特徴とする請求項１〜６のいずれか一項に記載の回路装置。
【発明の詳細な説明】
【技術分野】
【０００１】
本発明は、スイッチとケーシングと操作要素と第１および第２接触要素とを備え、この接触要素が共にケーシングに係合している、懐中電灯内の回路装置に関する。
【背景技術】
【０００２】
このような回路装置は一般的に懐中電灯で使用される。しかし、この回路装置は例えば電灯または他の電気機器内の他のスイッチでも使用可能である。特に懐中電灯の場合、回路装置は通常は端末キャップに一体化されている。この端末キャップは懐中電灯ケーシングにねじ込まれる。端末キャップのねじをゆるめて外した状態で、バッテリまたは蓄電池が懐中電灯ケーシングに挿入される。このような懐中電灯の場合、第２接触要素が渦巻きばねに接続されている。この渦巻きばねは一方では、懐中電灯内でバッテリを固定し、他方ではバッテリの電極に接続されている。従って、電流が渦巻きばねを経て流れる。スイッチを入れた状態で、閉じた回路を形成するために、一般的に第１接触部が端末キャップを経て案内され、それによって電流が端末キャップからねじまたは他の接触面と懐中電灯ケーシングを経て消費部に流れる。
【０００３】
従来の懐中電灯で実施されているような回路装置は、一方では、電流が多数の接触面を経て案内され、各接触面を介して接触抵抗が減少するという欠点がある。さらに、渦巻きばね内の電流によって、自己誘導電圧が誘導される。この自己誘導電圧は本来の電流に対して逆作用する。この２つの欠点のため、光源を介して小さな電圧が低下し、光源の輝度が大幅に低下することになる。
このような様式の装置に関して、記載すべき先行技術文献情報はない。
【発明の概要】
【発明が解決しようとする課題】
【０００４】
そこで、本発明の課題は、接触部の数が減少し、渦巻きばねを経て電流が流れない回路装置を提供することである。
【課題を解決するための手段】
【０００５】
この課題は請求項１に記載の回路装置によって解決される。この回路装置の場合、本発明に従い、第１接触要素が光源に直接または間接的に導電接続され、第２接触要素がケーシングの外で曲がった板ばねとして形成され、かつ電源に直接接続されている。これによって、多数の接触面が回避される。特に、第１接触要素と接触ばねとの間の接触部が不要となる。さらに、渦巻きばねを経て電流が案内されないので、渦巻きばねの比較的大きな自己誘導に基づいて出力が失われることがない。特に、本発明に係る回路装置によって、失われる出力が少ないので、出力が光源に供される。
【０００６】
本発明の有利な実施形が次におよび従属請求項に記載してある。
【０００７】
特に、有利な実施形では、光源がＬＥＤであり、電源としてバッテリまたは蓄電池が設けられている。特に、光源としてのＬＥＤの使用は電流の消費を減らすので、多くのエネルギーが発光のために供される。
【０００８】
好ましくは、第１接触要素は導電性の懐中電灯ケーシングに直接接続された曲がった板ばねである。この場合、光源は懐中電灯の導電性ケーシングを介して第１接点に間接的に接続されるが、回路装置は接触部を少なくとも１つだけ減らす。なぜなら、一般的に第１接点が端末キャップを経て案内されるので、端末キャップとケーシングとの間においてねじが接触面として使用されるからである。この実施形の場合さらに、第１接点が常にケーシングに均一に押しつけられるという利点がある。それによって、スイッチを内蔵する端末キャップの位置に関係なく、接触が確実に行われる。その代わりに、第１接点を光源に直接接続することができる。この場合、端末キャップとケーシングは互いに分離不可能であり、少なくとも第１接触要素を介して常にばらばらにならないように保持されている。
【０００９】
他の有利な実施形では、操作要素が軸方向に移動可能であり、かつ端面に導電性の接触板を有し、この接触板が両接触要素に同時に接続可能である。これによって、できるだけ少ない接触部を有する押しボタンを簡単に形成することができる。
【００１０】
その代わりに、一方の接触要素がケーシング内で曲がった板ばねとして形成され、かつ力がかかっていない状態で他方の接触要素から離隔され、両接触要素が操作要素によって板ばねの押圧力に抗して接続可能である。この手段により、接触板を有する代替実施形と比べて、接触部をさらに減らすことができる。両代替実施形において、操作要素が渦巻きばねの力に抗して軸方向に移動可能な押しボタンまたは回転ボタンであると有利である。これにより、操作要素は力を作用させていない状態で接触部から離隔保持されるので、懐中電灯の不意のスイッチオンまたはオフが回避される。
【００１１】
本発明の他の有利な実施形では、操作要素に係止要素が設けられ、それによって一時的な切換え機能または持続的な切換え機能を選択的に生じることができる。これにより、懐中電灯の取り扱い操作性だけでなく、機能性も高まる。
【００１２】
次に、図に基づいて、本発明の具体的な実施の形態と他の有利な実施形を説明する。
【図面の簡単な説明】
【００１３】
【図１ａ】接点を備えたスイッチを示す。
【図１ｂ】端末キャップと一体化したスイッチを示す。
【図１ｃ】回路装置一式を示す。
【図２ａ】スイッチの実施の形態を示す。
【図２ｂ】スイッチの実施の形態を示す。
【図３ａ】スイッチの機能原理を示す。
【図３ｂ】スイッチの機能原理を示す。
【発明を実施するための形態】
【００１４】
本発明に係る回路装置で有利に使用されるようなスイッチ１は、ケーシング２と操作要素３を備えている。さらに、第１接触要素４と第２接触要素５が設けられている。この両接触要素４、５は確実な接触のために、曲げられた板ばねとして形成されている（図１ａ参照）。このようなスイッチはケーシング２から突出する接触要素４、５が押しボタンスイッチ６と一体化されている（図１ｂ参照）。この押しボタンスイッチは端側が懐中電灯ケーシング７にねじ込み可能である（図１ｃ参照）。懐中電灯ケーシング７内には電極９、１０を有するバッテリ８が設けられている。電極１０は第２接触要素５に接続されている。これに対して、第１接触要素４は懐中電灯ケーシング７に接続されている。
【００１５】
それによって、回路装置はバッテリ８と、接触要素４、５を備えたスイッチ２と、懐中電灯ケーシング７と、光源１１とによって形成される。スイッチ内に接触部が１個だけ設けられている場合、図１ｃの回路装置では、接触面１２１、１２２、１２３、１２４、１２５が５つだけ形成されている。
【００１６】
図２ａ、２ｂはそれぞれ、好ましくは本発明に係る回路装置で使用されるようなスイッチの具体的な実施の形態を示している。操作要素３は軸方向に移動可能に支承されている。この場合、操作要素は渦巻きばね２１の力によって接触要素４、５から間隔をおいて保持されている。図２ａの操作要素３は端面側に接触板２２を有し、この接触板は操作要素３の操作時に接触要素４、５上に押し付けられ、電気回路を閉じる。他の実施の形態では第２接触要素５がケーシング２内で板ばねとして形成されている。この場合、接触要素４と５は操作要素３によって接触させることが可能である。第２接触要素５がケーシング内で板ばねとして形成されている実施の形態の場合の操作過程が、図３ａと３ｂに略示してある。
【符号の説明】
【００１７】
１        スイッチ
２        ケーシング
３        操作要素
４、５    接触要素
６        押しボタンスイッチ
７        懐中電灯ケーシング
８        バッテリ
９、１０  電極
１１      光源
１２１、１２２、１２３、１２４、１２５      接触面
２１      渦巻きばね
２２      接触板
【図１ａ】
2011108627.tif 000003
【図１ｂ】
2011108627.tif 000004
【図１ｃ】
2011108627.tif 000005
【図２ａ】
2011108627.tif 000006
【図２ｂ】
2011108627.tif 000007
【図３ａ】
2011108627.tif 000008
【図３ｂ】
2011108627.tif 000009